(57)【要約】【課題】動的に通話相手を切り換えることができる音声会議システムを提供する。【解決手段】管理サーバ１０１は、各音声会議装置の情報、および各ユーザの個人情報を記憶しており、各ユーザの認証を行う。中継サーバ１０２は、各音声会議装置を接続する中継機である。管理サーバ１０１は、音声会議装置のユーザを認証した場合、音声会議装置を中継サーバ１０２に接続するよう設定する。ユーザは、音声を送信したい先を指定することができる。ユーザが送信先を指定すると、中継サーバ１０２は、そのユーザの指定した送信先の音声会議装置を特定し、指定された音声会議装置にのみ発話音声を送信する。【選択図】図１
2008124597.tif 000002
【特許請求の範囲】
【請求項１】
中継サーバと、前記中継サーバを介して接続される複数の音声会議装置と、からなる音声会議システムであって、
前記音声会議装置は、
音声会議装置のユーザである会議参加者を認証する認証部と、
前記中継サーバと情報を送受信する送受信部と、
会議参加者から、発言の送信先を指定する操作を受け付ける受付部と、
を備え、
前記中継サーバは、
接続している音声会議装置、および各音声会議装置で認証された会議参加者を記載した管理テーブルと、
各音声会議装置から受信した音声情報を、前記管理テーブルに記載されている他の音声会議装置に送信する転送部と、を備え、
前記音声会議装置の送受信部は、前記受付部が受け付けた発言の送信先の指定情報を前記中継サーバに送信し、
前記中継サーバの転送部は、前記指定情報を受信した場合、前記管理テーブルを参照して、前記指定情報に記載されている送信先の音声会議装置、および前記指定情報を受信した音声会議装置から受信した音声情報を、これらの音声会議装置にのみ送信する処理である送信先選択処理を行う音声会議システム。
【請求項２】
前記転送部は、前記送信先選択処理において、前記指定情報に記載されている送信先の音声会議装置、および前記指定情報を受信した音声会議装置から受信した音声情報を、これらの音声会議装置以外の音声会議装置に、音量を制限して送信する請求項１に記載の音声会議システム。
【請求項３】
前記認証部は、生体認証により、会議参加者を認証する請求項１、または請求項２に記載の音声会議システム。
【請求項４】
前記認証部は、会議参加者の音声特徴量を記録した記録媒体を読み取る読取り部と、
会議参加者の音声特徴量を抽出する音声分析部と、からなり、
前記読取り部が前記記録媒体から読み取った音声特徴量と、前記音声分析部が抽出した音声特徴量と、を比較することにより、会議参加者を認証する請求項３に記載の音声会議システム。
【請求項５】
前記受付部は、音声認識により、送信先を指定する操作を受け付ける請求項１乃至請求項４のいずれかに記載の音声会議システム。
【発明の詳細な説明】
【技術分野】
【０００１】
この発明は、音声会議システムに関し、特に会議中に動的に通話相手を切り換えることができる音声会議システムに関する。
【背景技術】
【０００２】
近年、複数の地点で音声会議（通信会議）を行う音声会議システムが普及している。音声会議システムでは、各地点の会議参加者が発言すると、他の全ての地点に音声が送信される。この場合、他の地点の聴者は、声の特徴から誰が発言したかを判断しなければならない。多地点で音声会議を行う場合は、発言者の特定が難しくなる。そこで、発言者通知機能を備えた通信端末が提案されている（例えば特許文献１参照）。
【特許文献１】特開２００６−１００９６８号公報
【発明の開示】
【発明が解決しようとする課題】
【０００３】
しかし、特許文献１に記載の装置では、上述のように発言内容が全ての地点に送信されてしまう。例えば複数の社内の者と、社外の者が会議をしている場合に、一時的に社内の者同士だけで相談等をしたい場合があるが、特許文献１に記載の装置では、動的に通話相手を切り換えることができなかった。
【０００４】
この発明は、動的に通話相手を切り換えることができる音声会議システムを提供することを目的とする。
【課題を解決するための手段】
【０００５】
この発明の音声会議システムは、中継サーバと、前記中継サーバを介して接続される複数の音声会議装置と、からなる音声会議システムであって、前記音声会議装置は、音声会議装置のユーザである会議参加者を認証する認証部と、前記中継サーバと情報を送受信する送受信部と、会議参加者から、発言の送信先を指定する操作を受け付ける受付部と、を備え、前記中継サーバは、接続している音声会議装置、および各音声会議装置で認証された会議参加者を記載した管理テーブルと、各音声会議装置から受信した音声情報を、前記管理テーブルに記載されている他の音声会議装置に送信する転送部と、を備え、前記音声会議装置の送受信部は、前記受付部が受け付けた発言の送信先の指定情報を前記中継サーバに送信し、前記中継サーバの転送部は、前記指定情報を受信した場合、前記管理テーブルを参照して、前記指定情報に記載されている送信先の音声会議装置、および前記指定情報を受信した音声会議装置から受信した音声情報を、これらの音声会議装置にのみ送信する処理である送信先選択処理を行うことを特徴とする。
【０００６】
この構成では、音声会議装置に会議参加者を認証する認証部を備える。中継サーバは、各音声会議装置と、認証された会議参加者を管理する管理テーブルを備える。会議参加者が発言の送信先を指定する操作を行うと、送信先を示す情報が中継サーバに送信され、以後、その会議参加者の音声は、指定された送信先にのみ送信される。また、指定された送信先の音声は、指定操作の有った音声会議装置にのみ送信される。
【０００７】
この発明は、さらに、前記転送部は、前記送信先選択処理において、前記指定情報に記載されている送信先の音声会議装置、および前記指定情報を受信した音声会議装置から受信した音声情報を、これらの音声会議装置以外の音声会議装置に、音量を制限して送信することを特徴とする。
【０００８】
この構成では、中継サーバは、受信した音声情報を、指定された送信先以外の音声会議装置に、音量を制限してから送信する。
【０００９】
この発明は、さらに、前記認証部は、生体認証により、会議参加者を認証することを特徴とする。
【００１０】
この構成では、指紋、声紋、静脈等の生体情報を用いて会議参加者の認証を行う。
【００１１】
この発明は、さらに、前記認証部は、会議参加者の音声特徴量を記録した記録媒体を読み取る読取り部と、会議参加者の音声特徴量を抽出する音声分析部と、からなり、前記読取り部が前記記録媒体から読み取った音声特徴量と、前記音声分析部が抽出した音声特徴量と、を比較することにより、会議参加者を認証することを特徴とする。
【００１２】
この構成では、会議参加者の音声特徴量を記憶した記録媒体（例えばＩＣカード）を事前に作成しておき、会議参加者がこのＩＣカードを音声会議装置にセットすると、音声特徴量を読み出す。音声会議装置は、会議参加者の発言から音声特徴量を抽出し、ＩＣカードから読み出した音声特徴量と比較することで会議参加者を認証する。
【００１３】
この発明は、さらに、前記受付部は、音声認識により、送信先を指定する操作を受け付けることを特徴とする。
【００１４】
この構成では、音声認識により送信先を指定する操作を受け付ける。例えば、会議参加者が、他の会議参加者の個人名等を発言すると、この発言内容を音声認識し、送信先を示す情報として中継サーバに送信する。
【発明の効果】
【００１５】
この発明によれば、動的に通話相手を切り換えることができるため、例えば複数の社内の者と、社外の者が会議をしている場合に、一時的に社内の者同士だけで相談をしたい場合等に好適である。
【発明を実施するための最良の形態】
【００１６】
図面を参照して、本発明の実施形態に係る音声会議システムについて説明する。図１は、この実施形態に係る音声会議システムのブロック図である。
【００１７】
音声会議システムは、ネットワーク１００を介して接続される管理サーバ１０１、中継サーバ１０２、音声会議装置１１１Ａ、音声会議装置１１１Ｂ、および音声会議装置１１１Ｃを備えている。
【００１８】
管理サーバ１０１は、ネットワーク１００内に接続される音声会議装置、および各音声会議装置のユーザを管理する。管理サーバ１０１は、各音声会議装置の情報、および各ユーザの個人情報を記憶しており、各ユーザの認証を行う。中継サーバ１０２は、各音声会議装置を接続する中継機であり、各音声会議装置をＳＳＬ通信にて接続する。各音声会議装置は、この中継サーバ１０２を介して接続される。管理サーバ１０１は、音声会議装置のユーザを認証した場合、音声会議装置を中継サーバ１０２に接続するよう設定する。
【００１９】
図２は、音声会議装置１１１Ａのブロック図である。なお、音声会議装置１１１Ａ、音声会議装置１１１Ｂ、および音声会議装置１１１Ｃは全て同じ構成、機能を有する。
音声会議装置１１１Ａは、マイク１１、アンプ１２、Ａ／Ｄコンバータ１３、通信部１４、制御部１５、表示部１６、カードリーダ／ライタ１７、操作部１８、Ｄ／Ａコンバータ１９、アンプ２０、およびスピーカ２１を備えている。
【００２０】
マイク１１は、音声会議装置１１１Ａの周囲の音声を収音する。
アンプ１２は、マイク１１で収音した音声信号を増幅する。
Ａ／Ｄコンバータ１３は、アンプ１２で増幅されたアナログ形式の音声信号をデジタル形式に変換する。
【００２１】
通信部１４は、ネットワークインタフェースを有し、音声会議装置１１１Ａをネットワーク１００を介して他の装置に接続する。本実施形態では、通信部１４は、ネットワーク１００、および中継サーバ１０２を介して他の音声会議装置１１１Ｂ、および１１１Ｃに接続し、音声情報を送受信する。通信部１４は、Ａ／Ｄコンバータ１３から入力される音声信号をネットワーク上の送受信に適した音声情報に変換して他の装置に送信する。また、他の装置から受信した音声情報をデジタル形式の音声信号に変換し、Ｄ／Ａコンバータ１９に出力する。
【００２２】
Ｄ／Ａコンバータ１９は、デジタル形式の音声信号をアナログ形式に変換する。
アンプ２０は、Ｄ／Ａコンバータ１９で変換されたアナログ音声信号を増幅する。
【００２３】
スピーカ２１は、アンプ２０で増幅された音声信号を放音する。
以上のようにして音声会議装置１１１Ａは、自装置のユーザの発話音声を収音して他装置に送信し、他装置の発話音声を受信して放音する。
【００２４】
制御部１５は、音声会議装置１１１Ａを統括的に制御する。また、機能的に音声分析部１５１、および比較部１５２を実現する。
音声分析部１５１は、Ａ／Ｄコンバータ１３から入力された音声信号を分析し、音声特徴量（声紋）を抽出する。また、音声分析部１５１は、音声認識（発言内容の抽出）を行う。
比較部１５２は、音声分析部１５１が抽出した音声特徴量、およびカードリーダ／ライタ１７から後述の登録済み情報（音声特徴量と個人情報を含む）を入力し、これらを比較する。
【００２５】
表示部１６は、ＬＣＤからなり、会議中に、接続されている音声会議装置の情報やユーザの個人情報等が表示される。
【００２６】
操作部１８は、ユーザが操作を行うためのユーザインタフェースであり、例えば音声会議装置の筐体に設置された複数の押し釦等からなる。
【００２７】
カードリーダ／ライタ１７は、ＩＣカード５０に情報を記録し、ＩＣカード５０に記録されている情報を読み出す。ＩＣカード５０には、ユーザの音声特徴量、個人情報が記録されている。ユーザは、予め管理サーバ１０１に音声特徴量、個人情報を登録し、ＩＣカード５０を発行しておく。
【００２８】
図３は、登録、認証の例を示す図である。同図（Ａ）は、ユーザ登録、ＩＣカード５０の発行を示す図である。ユーザは、管理サーバ１０１に対し、音声特徴量と個人情報を送信する。個人情報は、管理サーバ１０１に接続されている登録用の端末（図示せず）等から入力する。音声特徴量は、登録用の端末に備えられたマイクから自身の音声を入力し、この登録用の端末（または管理サーバ１０１）が入力された音声から抽出する。管理サーバ１０１は、受信した個人情報を登録し、音声特徴量と対応付けて記録する。管理サーバ１０１は、ユーザＩＤを発行し、個人情報と音声特徴量を登録済み情報としてＩＣカード５０に記録する。
【００２９】
同図（Ｂ）は、ユーザ認証の例を示す図である。ユーザは、ＩＣカード５０を音声会議装置１１１Ａのカードリーダ／ライタ１７にセットし、発話する。カードリーダ／ライタ１７は、ＩＣカード５０に記録されている登録済み情報を読み出し、これを比較部１５２に入力する。音声分析部１５１は、ユーザの発話による音声信号から音声特徴量を抽出し、比較部１５２に入力する。比較部１５２は、音声分析部１５１から入力された音声特徴量と、カードリーダ／ライタ１７から入力された登録済み情報に含まれている音声特徴量と、を比較する。比較部１５２は、比較した音声特徴量が一致する（または近似する）と判断した場合、登録済み情報に含まれている個人情報を管理サーバ１０１に送信する。この結果、管理サーバ１０１で認証が行われ、音声会議装置１１１Ａが中継サーバ１０２に接続される。音声会議装置１１１Ｂ、および音声会議装置１１１Ｃにおいても同様の動作が行われ、全ての音声会議装置が中継サーバ１０２を介して接続される。
【００３０】
なお、本発明において管理サーバ１０１は必須の構成要件ではない。比較部１５２は、比較した音声特徴量が一致する（または近似する）と判断した場合、登録済み情報に含まれている個人情報を中継サーバ１０２に送信し、これを受信した中継サーバが音声会議装置１１１Ａを接続するようにしてもよい。音声会議装置１１１Ｂ、および音声会議装置１１１Ｃにおいても同様の動作が行われ、全ての音声会議装置が中継サーバ１０２を介して接続される。
【００３１】
中継サーバ１０２は、会議中において、接続している音声会議装置、および各ユーザを管理する管理テーブルを有している。図４は、管理テーブルを示す図である。同図に示すように、中継サーバ１０２は、各音声会議装置の名称（ＩＰアドレス、固有の名称等）、ユーザＩＤ、個人名、部署名等を記録している。これらの情報は、管理サーバ１０１から受信する。管理サーバ１０１を用いない場合には、これらの情報を各音声会議装置から受信する。
【００３２】
中継サーバ１０２は、音声会議装置１１１Ａ、音声会議装置１１１Ｂ、および音声会議装置１１１Ｃに対し、接続している全ての音声会議装置の情報（ＩＰアドレス、固有の名称等）を送信する。これにより、各音声会議装置の表示部１６において、接続されている音声会議装置の情報が表示される。
【００３３】
なお、中継サーバ１０２は、音声会議装置１１１Ａ、音声会議装置１１１Ｂ、および音声会議装置１１１Ｃに対し、それぞれの音声会議装置のユーザ個人情報（例えば氏名、所属部署名等）を送信してもよい。この場合、各音声会議装置において、接続されているユーザの個人情報が表示される。
【００３４】
また、以下のようにして、各ユーザが発話したときのみ個人情報を表示するようにしてもよい。
ユーザが発話すると、音声会議装置１１１Ａの通信部１４が中継サーバ１０２に音声情報を送信する。また、同時に、音声分析部１５１は、ユーザの発話による音声信号から音声特徴量を抽出し、比較部１５２に入力する。比較部１５２は、音声分析部１５１から入力された音声特徴量と、カードリーダ／ライタ１７から入力された登録済み情報に含まれている音声特徴量を比較する。比較部１５２は、比較した音声特徴量が一致すると判断した場合、登録済み情報に含まれている個人情報を中継サーバ１０２に送信する。中継サーバ１０２は、受信した音声情報とともに個人情報を他の装置（音声会議装置１１１Ｂ、音声会議装置１１１Ｃ）に送信する。音声会議装置１１１Ｂ、および音声会議装置１１１Ｃの制御部１５は、中継サーバ１０２から音声情報と個人情報とを受信し、音声を放音するとともに、表示部１６に個人情報を表示する。
【００３５】
なお、比較部１５２が、音声分析部１５１から入力された音声特徴量と、カードリーダ／ライタ１７から入力された登録済み情報に含まれている音声特徴量を比較した結果、音声特徴量が一致しないと判断した場合、制御部１５は、表示部１６に警告を表示し、中継サーバ１０２にエラー情報を送信し、中継サーバ１０２が音声情報を送信しないようにする。また、制御部１５が通信部１４に音声情報を送信しないように設定してもよい。
【００３６】
次に、音声会議システムの送信先選択動作について説明する。この音声会議システムは、各音声会議装置１１１の接続を動的に切り換えることができるものである。
図５は、音声会議システムの送信先選択動作について示す図である。同図において、音声会議装置１１１Ａが設置されている地点ａにユーザ１Ａが存在し、音声会議装置１１１Ｂが設置されている地点ｂにユーザ１Ｂ、およびユーザ１Ｃが存在し、音声会議装置１１１Ｃが設置されている地点ｃにユーザ１Ｄが存在する。
【００３７】
各音声会議装置１１１のユーザ１Ａ〜１Ｄは、自身の発話した音声の送信先を自由に選択することができる。すなわち、特定のユーザにのみ音声情報を発信し、それ以外のユーザには音声情報を発信しないように設定することができる。同図（Ａ）においては、ユーザ１Ｂ、およびユーザ１Ｃの発話した音声が音声会議装置１１１Ａ、および音声会議装置１１１Ｃに送信される例を示し、同図（Ｂ）においては、ユーザ１Ｂ、およびユーザ１Ｃの発話した音声が音声会議装置１１１Ａにのみ送信される例を示す。
【００３８】
図３（Ｂ）に示したユーザ認証が行われると、中継サーバ１０２は、音声会議装置１１１Ａ、音声会議装置１１１Ｂ、および音声会議装置１１１Ｃを接続し、音声会議を開始する。各音声会議装置の表示部１６においては、接続されている音声会議装置の情報（例えばＩＰアドレス等）が表示される。また、接続されているユーザの個人情報（例えば氏名、所属部署名等）が表示される。
【００３９】
最初に各音声会議装置が接続された場合、それぞれの音声会議装置で収音した音声情報は、全ての音声会議装置に送信される。つまり、同図（Ａ）に示すように、音声会議装置１１１Ｂのユーザ１Ｂ、およびユーザ１Ｃの発話した音声は、音声会議装置１１１Ａ、および音声会議装置１１１Ｃに送信される。
【００４０】
ユーザ１Ｂ、およびユーザ１Ｃは、会議中に、音声会議装置１１１Ｂの表示部１６を見て、現在音声会議を行っている相手先の装置、ユーザを知ることができる。ここで、会議中にユーザ１Ｂ、またはユーザ１Ｃが一時的にユーザ１Ａとだけ音声会議を行いたい場合、操作部１８を用いて、音声会議装置１１１Ａにのみ音声を送信するように設定する。例えば音声会議装置１１１ＡのＩＰアドレス、固有名を指定すればよい。
【００４１】
ユーザ１Ｂ、またはユーザ１Ｃが操作部１８を用いて、音声会議装置１１１Ａにのみ音声を送信するように設定すると、音声会議装置１１１Ｂは、中継サーバ１０２に対し、音声会議装置１１１Ａを指定した接続先指定情報を送信する。中継サーバ１０２は、接続先指定情報を受信した場合、以後、音声会議装置１１１Ｂから受信した音声情報を音声会議装置１１１Ａにのみ送信する。また、音声会議装置１１１Ａから受信した音声情報を音声会議装置１１１Ｂにのみ送信する。音声会議装置１１１Ｃから受信した音声情報は、音声会議装置１１１Ａ、および音声会議装置１１１Ｂに送信するが、送信せずに破棄してもよい。
【００４２】
例えば、ユーザ１Ａ、ユーザ１Ｂ、およびユーザ１Ｃが同じ会社（Ａ社）の人間であり、ユーザ１Ｄのみが他社（Ｂ社）の人間であった場合、Ａ社の機密情報をユーザ１Ａ、ユーザ１Ｂ、およびユーザ１Ｃの間で一時的に会話したい状況が考えられる。本実施形態の送信先選択動作は、このような状況に好適である。
【００４３】
また、各ユーザは、音声会議装置ではなく音声会議を行っているユーザを指定することで音声情報の送信先を設定することもできる。ユーザ１Ｂ、またはユーザ１Ｃは、音声会議装置１１１Ｂの表示部１６を見て、ユーザ１Ａにのみ音声を送信するように設定する。例えばユーザ１Ａの氏名を指定すればよい。
【００４４】
ユーザ１Ｂ、またはユーザ１Ｃが操作部１８を用いて、ユーザ１Ａにのみ音声を送信するように設定すると、音声会議装置１１１Ｂは、中継サーバ１０２に対し、ユーザ１Ａを指定した接続先指定情報を送信する。中継サーバ１０２は、図４に示した管理テーブルを参照し、ユーザ１Ａの音声会議装置、すなわち音声会議装置１１１Ａにのみ音声情報を送信するように設定する。以後、中継サーバ１０２は、音声会議装置１１１Ｂから受信した音声情報を音声会議装置１１１Ａにのみ送信する。また、音声会議装置１１１Ａから受信した音声情報を音声会議装置１１１Ｂにのみ送信する。音声会議装置１１１Ｃから受信した音声情報は、音声会議装置１１１Ａ、および音声会議装置１１１Ｂに送信してもよいし、送信せずに破棄してもよい。
【００４５】
また、上記においては、ユーザが操作部１８を用いて送信先を選択する例について説明したが、音声分析部１５１が発言内容を抽出することで、音声により送信先を指定することもできる。例えば、ユーザ１Ｂが「送信選択、１Ａさん」と発話すると、音声分析部１５１が音声認識を行い、中継サーバ１０２に対し、ユーザ１Ａを指定した接続先指定情報を送信する。同様に、例えば、ユーザ１Ｃが「送信選択、音声会議装置１１１Ａ」と発話すると、音声分析部１５１が音声認識を行い、中継サーバ１０２に対し、音声会議装置１１１Ａを指定した接続先指定情報を送信する。
【００４６】
なお、中継サーバ１０２が音声情報を送信しないようにする例について説明したが、指定された音声会議装置以外には、音声をミュートして（音量レベルを下げて）送信するようにしてもよい。すなわち、図５（Ｂ）の例においては、中継サーバ１０２は、音声会議装置１１１Ｂから受信した音声情報を音声会議装置１１１Ａに送信するとともに、音声会議装置１１１Ｃにも送信する。ただし、音声会議装置１１１Ｃに送信する音声情報は、音量レベルを下げてから送信する。これにより、音声会議装置１１１Ｃのユーザ１Ｄは、発言内容を聞き取ることができず、音声情報が送信されていない場合と同様の状況となる。
【００４７】
また、図５（Ｂ）の状況において、ユーザ１Ｂ、またはユーザ１Ｃは、いつでもユーザ１Ｄとの会話を再開することができる。ユーザ１Ｂ、またはユーザ１Ｃは、操作部１８を用いて送信選択を解除するように設定する。ユーザ１Ｂ、またはユーザ１Ｃが操作部１８を用いて、送信選択を解除するように設定すると、音声会議装置１１１Ｂは、中継サーバ１０２に対し、解除情報を送信する。中継サーバ１０２は、解除情報を受信した場合、以後、音声会議装置１１１Ｂから受信した音声情報を音声会議装置１１１Ａ、および音声会議装置１１１Ｃに送信する。
【００４８】
また、ユーザ１Ｂ、およびユーザ１Ｃは、音声により送信選択を解除するように設定することもできる。例えば、ユーザ１Ｂが、「送信選択解除」と発話すると、音声分析部１５１が音声認識を行い、中継サーバ１０２に対し、解除情報を送信する。中継サーバ１０２は、解除情報を受信した場合、以後、音声会議装置１１１Ｂから受信した音声情報を音声会議装置１１１Ａ、および音声会議装置１１１Ｃに送信する。
【００４９】
以上のようにして、本実施形態の音声会議システムは、動的に通話相手を切り換えることができる。各ユーザは、一時的に特定のユーザ間とだけ会話したい場合、会議を終了せずとも、容易に接続先を切り換えることができる。
【００５０】
なお、本実施形態では、ＩＣカードに音声特徴量を記録し、ユーザからの発話音声と比較することにより、各ユーザを認証する例について説明したが、他の生体情報（指紋、静脈等）により認証を行ってもよい。
【００５１】
また、音声特徴量や他の生体情報を記録する記録媒体は、ＩＣカードに限るものではない。例えば磁気カードを用いてもよいし、ＣＤ−ＲＯＭ等のメディアを用いてもよい。また、携帯型の記憶装置（所謂ＵＳＢメモリ等）を用いてもよい。この場合、カードリーダ／ライタ１７を、各記録媒体に対応した読取り部（記録媒体がＣＤ−ＲＯＭであればＣＤ−ＲＯＭドライブ）とすればよい。
【図面の簡単な説明】
【００５２】
【図１】音声会議システムの構成を示すブロック図である。
【図２】音声会議装置の構成を示すブロック図である。
【図３】登録、認証の例を示す図である。
【図４】管理テーブルを示す図である。
【図５】音声会議システムの送信先選択動作について示す図である。
【符号の説明】
【００５３】
１１−マイク
１２−アンプ
１３−Ａ／Ｄコンバータ
１４−通信部
１５−制御部
１６−表示部
１７−カードリーダ／ライタ
１８−操作部
１９−Ｄ／Ａコンバータ
２０−アンプ
２１−スピーカ
【図１】
2008124597.tif 000003
【図２】
2008124597.tif 000004
【図３】
2008124597.tif 000005
【図４】
2008124597.tif 000006
【図５】
2008124597.tif 000007